(57)【特許請求の範囲】
【請求項１】
構造物に対して支持手段を固設し、前記構造物に略垂直方向に布設されるバスダクトを前記支持手段で支持するバスダクト支持装置であって、
前記バスダクトは、導体をハウジングに収納してなり、前記ハウジングの導体幅方向両端部に補強部が形成され、前記補強部は、前記ハウジングの側面よりも少なくとも導体厚さ方向に突出する突出箇所を有し、
前記補強部の前記突出箇所の導体厚さ方向の外端縁相互を導体幅方向に結ぶ線分と、ハウジングの側面との間に空間を形成して構成されると共に、
前記支持手段の前記構造物に対する固定部分の少なくとも一部が、平面視で略垂直布設される前記バスダクトの前記空間内に位置することを特徴とするバスダクト支持装置。
【請求項２】
前記支持手段が前記構造物に対して固設される案内棒と前記案内棒の周囲に設けられる弾性材とを有し、
前記支持手段の前記案内棒と前記弾性材とが、平面視で略垂直布設される前記バスダクトの前記空間内に位置することを特徴とする請求項１記載のバスダクト支持装置。
【請求項３】
構造物に対して支持手段を固設し、前記構造物に略垂直方向に布設されるバスダクトを、前記バスダクトに固定される固定具を介して前記支持手段で支持するバスダクト支持装置であって、
前記バスダクトは、導体をハウジングに収納してなり、前記ハウジングの導体幅方向両端部に補強部が形成され、前記補強部は、前記ハウジングの側面よりも少なくとも導体厚さ方向に突出する突出箇所を有し、
前記補強部の前記突出箇所の導体厚さ方向の外端縁相互を導体幅方向に結ぶ線分と、ハウジングの側面との間に空間を形成して構成されると共に、
前記支持手段が前記構造物に対して固設される案内棒と前記案内棒の周囲に設けられる弾性材とを有し、
前記導体幅方向の両端部における前記突出箇所の導体厚さ方向の外端縁に前記固定具が密接して設けられ、前記固定具の略中央に外方に膨出する膨出部が形成され、
前記支持手段の前記案内棒と前記弾性材とが、平面視で略垂直布設される前記バスダクトの前記空間内と前記膨出部内に位置することを特徴とするバスダクト支持装置。
【発明の詳細な説明】
【０００１】
【発明の属する技術分野】
本発明は、高層ビル等の構造物で電気幹線路を構成するバスダクトに係り、垂直方向に設けられるバスダクトを支持するバスダクト支持装置に関する。
【０００２】
【従来の技術】
高層ビル等に垂直方向に布設されるバスダクトの支持装置に関する従来技術として、特公昭５９−２６８２２号と実開昭６１−１１４９２５号に開示されている垂直バスダクトの床支持装置がある。
【０００３】
特公昭５９−２６８２２号の垂直バスダクトの床支持装置は、垂直バスダクトの荷重を張力調節可能の弾性部材を介して上下案内棒に受けさせ、その案内棒を張力調節可能の弾性材ブロックを介して床上の固定受枠に支持させ、その弾性材ブロックの受枠に対する当り面の広さを案内棒の断面積に比べて少なくとも数倍大きくした支持機構を建物の各階層床上に設けて垂直バスダクトの荷重を分割支持させ、その各階層の支持機構のバスダクトの垂直荷重を受ける弾性部材並びにその垂直荷重受案内棒の荷重を受ける弾性部材ブロックの弾性張力を調節し、バスダクトの荷重支持、収縮・振動の吸収等の機能を各階層毎に調節可能にしたものである。
【０００４】
また、実開昭６１−１１４９２５号の垂直バスダクトの床支持装置は、垂直バスダクトのフランジ部の外面に固定金具を取り付け、その固定金具を支持部材を介して床に支持させてなる垂直バスダクト床支持装置において、上記垂直バスダクトのフランジ部を、そのフランジ部の縁を跨ぎ、基部側が上記固定金具に締付け固定され、先端側が上記フランジ部の内面に押し当てられるクランプ片によって、上記固定金具に固定したものである。
【０００５】
【発明が解決しようとする課題】
ところが、特公昭５９−２６８２２号の垂直バスダクト床支持装置は、垂直バスダクトに固定されている支持腕が垂直バスダクトの側面から外方に突出し、弾性部材（コイルスプリング）、スプリング受、案内棒、弾性材ブロック、ブロック受板、受枠等からなる支持手段の全部が垂直バスダクトの側面より外方に位置して、支持腕及び垂直バスダクトを支持することから、垂直バスダクトを支持するための空間を垂直バスダクトの外側面から広範囲に確保する必要があり、垂直バスダクトの支持を行うために多くの空間が無駄になるという不具合がある。
【０００６】
同様に、実開昭６１−１１４９２５号の垂直バスダクト床支持装置も、垂直バスダクトに固定されている固定金具がバスダクトのフランジ部から外方に突出し、スプリング、スプリング受座、支持ボルト、基礎部材等からなる支持手段の全部が垂直バスダクトのフランジ部より外方に位置して、固定金具及び垂直バスダクトを支持することから、垂直バスダクトの支持のために多くの空間を無駄にすることになる。
【０００７】
更には、２系統以上並べて布設される垂直バスダクトを上記床支持装置で支持する場合等にも、垂直バスダクトを支持するための空間を各系統のバスダクト毎にそれぞれ広範囲に確保する必要があることから、空間の有効利用を図ることができず、より大きな空間を無駄にすることになる。言い換えれば、狭い空間にバスダクトを布設することができないこととなる。
【０００８】
また、上記床支持装置で垂直バスダクトを支持してバスダクト幹線路を形成する場合、垂直バスダクトを支持する支持手段がバスダクトの側面より外方に位置し、バスダクト側面より外方にスプリングや支持ボルトなど細々した支持手段の各部が目視可能な状態で設けられることから、美観が損なわれるという不具合が生じていた。
【０００９】
本発明は、上記不具合を解消するためになされたものであって、高層ビル等の構造物で垂直方向に布設されるバスダクトの支持空間を省スペース化することができるバスダクト支持装置を提供することを目的とする。また、他の目的は、美観が良く意匠性に優れたバスダクト幹線路を形成することができるバスダクト支持装置を提供することにある。
【００１０】
【課題を解決するための手段】
本発明のバスダクト支持装置は、構造物に対して支持手段を固設し、該構造物に略垂直方向に布設されるバスダクトを該支持手段で支持するバスダクト支持装置であって、平面視で該バスダクトの前後端を通る左右方向の線分と左右端を通る前後方向の線分とで規定される矩形範囲内に、該支持手段の少なくとも一部が位置することを特徴とする。前記矩形は、例えば平面視でバスダクトの前後端縁を通る左右方向の線分と左右端縁を通る前後方向の線分とを結ぶことにより規定され、より具体的には短絡時等にバスダクトの強度を保つために一般的なバスダクトに存在する、バスダクトハウジングの側面などに突出形成されている補強部等により規定される。更には、矩形範囲内に支持手段の全部が位置する構成とすると好適である。
【００１１】
更に、本発明のバスダクト支持装置は、前記バスダクトに固定される固定具を介して前記支持手段でバスダクトを支持し、該支持手段が前記構造物に対して固設される案内棒と該案内棒の周囲に設けられる弾性材とを有し、該固定具に該案内棒を挿通し、該弾性材で該固定具を支持することを特徴とする。支持手段を少なくとも弾性材と案内棒を有するものとし、弾性材に挿通された案内棒を固定具に挿通して弾性材で固定具を支持し、バスダクトの荷重を固定具を介して弾性材で受ける構成とする。更に、本発明のバスダクト支持装置は、前記固定具の少なくとも一部が前記支持手段の少なくとも一部の外方に覆設されていることを特徴とする。例えば支持手段の一部が固定具の一部で隠れるように、支持手段の一部を固定具の外側端縁より内方に位置させる。更には、固定具の少なくとも一部を支持手段の全部の外方に覆設すると好適である。
【００１２】
また、本発明のバスダクト支持装置は、構造物に対して支持手段を固設し、前記構造物に略垂直方向に布設されるバスダクトを前記支持手段で支持するバスダクト支持装置であって、前記バスダクトは、導体をハウジングに収納してなり、前記ハウジングの導体幅方向両端部に補強部が形成され、前記補強部は、前記ハウジングの側面よりも少なくとも導体厚さ方向に突出する突出箇所を有し、前記補強部の前記突出箇所の導体厚さ方向の外端縁相互を導体幅方向に結ぶ線分と、ハウジングの側面との間に空間を形成して構成されると共に、前記支持手段の前記構造物に対する固定部分の少なくとも一部が、平面視で略垂直布設される前記バスダクトの前記空間内に位置することを特徴とする。更に、本発明のバスダクト支持装置は、前記支持手段が前記構造物に対して固設される案内棒と前記案内棒の周囲に設けられる弾性材とを有し、前記支持手段の前記案内棒と前記弾性材とが、平面視で略垂直布設される前記バスダクトの前記空間内に位置することを特徴とする。
【００１３】
また、本発明のバスダクト支持装置は、構造物に対して支持手段を固設し、前記構造物に略垂直方向に布設されるバスダクトを、前記バスダクトに固定される固定具を介して前記支持手段で支持するバスダクト支持装置であって、前記バスダクトは、導体をハウジングに収納してなり、前記ハウジングの導体幅方向両端部に補強部が形成され、前記補強部は、前記ハウジングの側面よりも少なくとも導体厚さ方向に突出する突出箇所を有し、前記補強部の前記突出箇所の導体厚さ方向の外端縁相互を導体幅方向に結ぶ線分と、ハウジングの側面との間に空間を形成して構成されると共に、前記支持手段が前記構造物に対して固設される案内棒と前記案内棒の周囲に設けられる弾性材とを有し、前記導体幅方向の両端部における前記突出箇所の導体厚さ方向の外端縁に前記固定具が密接して設けられ、前記固定具の略中央に外方に膨出する膨出部が形成され、前記支持手段の前記案内棒と前記弾性材とが、平面視で略垂直布設される前記バスダクトの前記空間内と前記膨出部内に位置することを特徴とする。
【００１４】
【作用】
本発明のバスダクト支持装置は、垂直バスダクトを平面視した場合に於けるバスダクトの前後端を通る左右方向の線分と左右端を通る前後方向の線分とで規定される矩形範囲内に、支持手段の少なくとも一部を位置させることから、矩形範囲内に位置する空間を支持手段を配置する空間として有効利用することができ、支持手段の全部が前記矩形範囲外に位置する従来の支持装置に比べて、バスダクトの支持空間を省スペース化することができる。そして、複数系統の垂直バスダクトを並設する場合にも、垂直バスダクト間の間隔を狭くすることができ、各系統のバスダクト毎にそれぞれ広範囲な支持空間を確保する必要が無くなる。従って、無駄な空間を極力無くして、空間の有効利用を図ることが可能となる。加えて、垂直バスダクトを支持した際に、例えば支持手段の少なくとも一部を正面視で目視不能にすることが可能なので、バスダクト幹線路の外観を向上することができる。
【００１５】
更に、支持手段の全部を矩形範囲内に位置する場合には、最小スペースにてバスダクトを支持することができ、空間の無駄を最大限排除することが可能になると共に、垂直バスダクトを支持した際に、例えば支持手段の全部を正面視で目視不能にすることが可能であり、美観に優れたバスダクト幹線路が形成することができる。
【００１６】
更に、固定具の少なくとも一部を支持手段の少なくとも一部の外方に覆設することにより、支持手段を構成する案内棒や弾性材等の一部が固定具で隠されるので、美観に優れたバスダクト幹線路を形成することができる。更には、固定具の少なくとも一部を支持手段の全部の外方に覆設すると、支持手段の全部が固定具で完全に隠されるので、より美観に優れたバスダクト幹線路を形成することが可能となる。
【００１７】
【発明の実施の形態】
次に、本発明のバスダクト支持装置の実施例を図面に沿って説明するが、本発明はかかる実施例に限定されるものではない。図１から図４までは本発明の第１実施例を示し、図１は第１実施例のバスダクト支持装置で垂直布設された１系統のバスダクトを支持している状態を示す正面図、図２は図１の側面図、図３は図１の平面図、図４は第１実施例のバスダクト支持装置に於ける固定具の斜視図である。
【００１８】
前提として、第１乃至第３実施例のバスダクト支持装置で支持されるバスダクト４０は、複数相からなる絶縁処理された導体４１をバスダクトハウジングで被覆してなり、図１乃至図３に示すように、３線からなる絶縁被覆された導体４１が隣接して並設され、導体４１の幅方向の前後に、バスダクト４０の側板４３間に介在する断面ロ字形のスペーサ４２が配設され、導体４１及びスペーサ４２を両外側から側板４３・４３で挟持し、ボルト４４及びナット４５で締着して固定されている。バスダクト４０の側板４３は、平らな基面４３１の両端縁から外方に略９０度に屈曲して延設された第１補強部４３２と、第１補強部４３２の外側端縁から互いに向き合うように略９０度に屈曲して延設された第２補強部４３３を有し、第１補強部４３２と第２補強部４３３でバスダクト４０の強度が保持されている。バスダクト４０は、オフィスビル等の各階の床面５０を貫通して垂直方向に布設され、オフィスビル等の下方階から上方階まで電気幹線路が形成される。
【００１９】
そして、第１実施例のバスダクト支持装置１は、図１乃至図４に示すように、垂直方向に布設されたバスダクト４０を支持するものであって、一系統のバスダクト４０に固定される固定金具である固定具２と、バスダクト４０を支持する支持手段とを備えている。
【００２０】
固定具２は、バスダクト４０の側板４３の基面４３１と略平行で、第２補強部４３３の外側面に密接する略方形平板状であり、その四隅近傍にボルトを挿通可能な挿通孔２１１が開口している基面２１と、基面２１の外側端縁から内方に略９０度で屈曲して延設され、バスダクト４０の第１補強部４３２の外側面に密接する屈曲片２２と、基面２１の上端縁の略中央部から内方に略９０度で屈曲して延設され、後述する案内棒を挿通可能な挿通孔２３１が略中央に開口されている略方形の支持片２３と、支持片２３の前後方向両側の側端縁から各々下方に屈曲して延設され、正面視で略直角三角形平板状であり、その垂直方向に延びる一辺が基面２１に沿って固設され、前記一辺の下端が基面２１の下端縁まで延びている支持片２３を補強する補強片２４を有する。
【００２１】
前記基面２１の挿通孔２１１に、屈曲した挟持金具２５に挿通されているボルト２６を内側から外側へ向かって挿通し、基面２１の内面と挟持金具２５の外面との間にバスダクト４０の第２補強部４３３を配置し、基面２１の外方に配置されたナット２７にボルト２６を螺合して緊締することにより、基面２１の内面と挟持金具２５の外面の間に位置するバスダクト４０の第２補強部４３３を強固に挟持する。即ち、ボルト２６及びナット２７など締着具の緊締により、バスダクト４０の側板４３及びバスダクト４０と固定具２とが固定される。バスダクト４０と固定具２とを固定した状態では、支持片２３の先端縁は、バスダクト４０の側板４３の基面４３１の近傍に位置し或いは基面４３１に当接する。尚、前記構成によりバスダクト４０と固定具２との強固な固定状態を維持することができるので、バスダクトハウジング自体に孔開け加工を施す必要が無くなり、施工性が向上する。
【００２２】
また、バスダクト４０の支持手段は、バスダクト４０の両側板４３・４３の外側でそれぞれ、第２補強部４３３・４３３間で且つ第２補強部４３３の外側面より内方に位置する床面５０上にネジ止め等で固定されている断面コ字形のチャンネル部材である基台３１と、ネジ溝が螺刻された長尺のボルトで、支持片２３の挿通孔２３１に上方から下方へ挿通して基台３１の上面の挿通孔に挿通され、前記上面両側のナット３２・３２の緊締で前記上面に固定され、上下方向に延びている案内棒３３と、案内棒３３が挿通されて案内棒３３の周囲に設けられ、所定高さの位置に位置決め部材であるナット３４・３５でその下端が位置決めされて支持され、その上端上に位置する固定具２の支持片２３を上方に付勢する弾性材であるコイル状のバネ部材３６を有する。
【００２３】
前記バネ部材３６で固定具２を支持することにより、固定具２が固定されているバスダクト４０自体をバネ部材３６で支持する。バスダクト４０に通電されていない時等に於いては、バネ部材３６で上方に付勢されている支持片２３が案内棒３３の上端のボルトに接しているが、バスダクト４０が通電時に伸びた場合等には、その伸びをバネ部材３６の収縮で吸収して下方に逃がし、支持片２３及び固定具２が下降する構成になっている。尚、前記構成に限定されず、例えば案内棒３３の頂部を固定具２の支持片２３の上面より一定距離上方に位置するようにし、バスダクト４０の通電時の伸びを上方に逃がす構成でも良く、場合によっては、案内棒３３の上端を固定具の支持片２３に固定する構成とすることも可能である。
【００２４】
第１実施例のバスダクト支持装置１では、固定具２の支持片２３がバスダクト４０の側板４３の基面４３１に向かって内方に突出し、平面視で図３に於けるバスダクト４０の前後端を通る水平方向の線分と左右端を通る垂直方向の線分とで規定される矩形範囲内に支持手段が配置され、図１に示す正面視で前記バスダクト４０の支持手段はバスダクト４０の第１補強部４３２内に隠れ、更に図２に示す側面視で固定具２の基面２１で前記支持手段の一部が隠れる構成になっている。従って、前記支持手段がバスダクト４０の前記矩形範囲の外側方に突出して設けられている構成に比べて、バスダクト４０の布設及び支持に必要な空間を飛躍的に狭くすることが可能となり、スペースの有効利用を図ることができると共に、意匠的にも優れたバスダクト電気幹線路を形成することができる。
【００２５】
次に、本発明の第２実施例のバスダクト支持装置１について、第１実施例と異なる箇所を中心に説明する。図５から図７は第２実施例を示し、図５は第２実施例のバスダクト支持装置で垂直布設された２系統のバスダクトを支持している状態を示す正面図、図６は図５の側面図、図７は図５の平面図である。
【００２６】
本実施例のバスダクト支持装置１は、基本的には第１実施例と同様であるが、バスダクト４０が貫通する床面５０上に防火処理構造６０が設けられていることから、基台３１を第１基台３１ａから第３基台３１ｃまで設け、支持手段の設置位置が所定高さに設定されている。尚、基台３１はこれ以外の複数設ける等により、所要の高さに支持手段を設けることができる。また、本実施例で支持されるバスダクト４０は複数系統の２系統であるが、本発明の複数系統のバスダクト４０には３系統、４系統など３系統以上の複数系統も含まれる。
【００２７】
第１基台３１ａは、バスダクト４０が貫通する床面５０の貫通穴近傍でバスダクト４０の厚さ方向に平行に設けられて床面５０上に対向配置され、第１基台３１ａの上面には、対向配置された第１基台３１ａ・３１ａ間に第２基台３１ｂが架設され、第２基台３１ｂは２系統のバスダクト４０・４０の間と両外側とに計３つ配設されている。更に、第２基台３１ｂの上面に第３基台３１ｃが第２基台３１ｂと直交するように配設され、基台３１ａ、３１ｂ、３１ｃは全て床面５０に対して固定して配設されている。第３基台３１ｃは、両外側の第２基台３１ｂから内方に向かって延び、バスダクト４０の側板４３近傍まで延びて配設されている２つの第３基台３１ｃ・３１ｃと、中央の第２基台３１ｂを中心に外側に向かって延び、挟んで位置するバスダクト４０の側板４３近傍まで延びて配設されている１つの第３基台３１ｃとが設置されている。
【００２８】
前記第３基台３１ｃの上面に挿通された案内棒３３は前記上面に固定され、バスダクト４０の側板４３の近傍で上下方向に延びて配設される。固定具２、バネ部材３６、バネ部材３６の上端で支持片２３を支持する構成等、他の構成は第１実施例と同様である。
【００２９】
第２実施例のバスダクト支持装置１を使用することにより、防火処理構造６０が設置されているバスダクト貫通孔近傍であっても、容易にバスダクト４０を支持することができると共に、バスダクト４０を支持するための支持空間を極力狭くすることができ、２系統以上のバスダクト４０を並列に垂直布設した場合にその布設間隔を最小限に押さえることが可能となる。また、バスダクト４０を正面視した場合に、案内棒３３やバネ部材３６等の支持手段が目視不能な状態で配置されていること等から、意匠的にも優れた外観を有するバスダクト幹線路を形成することができる。
【００３０】
次に、本発明の第３実施例のバスダクト支持装置１について、第１及び第２実施例と異なる箇所を中心に説明する。図８から図１０までは本発明の第３実施例を示し、図８は第３実施例のバスダクト支持装置で垂直布設された２系統のバスダクトを支持している状態を示す正面図、図９は図８の側面図、図１０は図８の平面図である。
【００３１】
本実施例のバスダクト支持装置１は、第２実施例同様に２系統のバスダクト４０を並列して布設してなるバスダクト電気幹線路を支持するものであり、基台３１の構成は第２実施例と同様であり、又案内棒３３やバネ部材３６の構成なども第１及び第２実施例と同様である。そして、本実施例に於ける固定具２には、基面２１の略中央で外方に膨出して上下に延びている膨出部２１２が形成され、膨出部２１２の内方に案内棒３３やバネ部材３６等が介在し、バスダクト４０の正面視から案内棒３３の一部が目視可能な状態となっている。
【００３２】
第３実施例のバスダクト支持装置１を使用することにより、バスダクト４０の容量などに応じ、第１補強部４３２内に隠れることができない案内棒３３やバネ部材３６等で支持する場合であっても、固定具２に膨出部２１２を設けて対応することが可能となり、且つバスダクト４０の布設間隔も従来に比べてより狭くすることができる。また、案内棒３３を片側に２本以上設ける場合にも、膨出部２１２を２つ設ける構成やバスダクト幅方向に広い膨出部２１２を設ける構成で対応することが可能であり、適宜の支持手段に対応することができる。
【００３３】
以上、本発明のバスダクト支持装置１の実施例について説明したが、本発明は上記実施例に限定されるものではなく、以下のような拡張及び変形を行うことができる。例えば、上記実施例では全て同種のバスダクトについて説明したが、バスダクト自体は如何なるバスダクトであっても良く、例えば図１１に示す様々なバスダクトに本発明は対応することができる。図１１の斜線部は本発明に於ける矩形範囲７０である。
【００３４】
図１１（ａ）は、上記実施例と同種のバスダクト４０であり、矩形範囲７０内に支持手段の一部が存在すれば本発明に含まれる。また、図１１（ｂ）に示すようにバスダクト４０の前後に位置する補強部４６ａから外方へボルト頭部が突出している場合には、ボルト頂部がバスダクト４０の前後端になり、ボルト頂部を通る左右方向の線分で矩形範囲７０が規定され、この矩形範囲７０内に支持手段の一部が存在すれば本発明に含まれる。また、図１１（ｃ）に示すように、バスダクト４０の前側に補強部４６ａを有しない場合にも、後側の補強部４６ａの屈曲部分の外側面がバスダクト４０の左右端になり、前記屈曲部分の外側面に接する前後方向の線分で矩形範囲７０が規定され、この矩形範囲７０内に支持手段の一部が存在すれば本発明に含まれる。
【００３５】
また、図１１（ｄ）に示すように、絶縁被覆された導体３１を収納してなる一般的に密着絶縁バスダクトと称するバスダクト４０以外にも、導体３１・３１間に所定の空間距離を保ち空気により異相間と最外側導体３１とバスダクトハウジング間を絶縁する一般的に空気絶縁型バスダクトと称するバスダクト４０にも本発明は対応することができ、ボルト頂部を通る左右方向の線分と補強部４６ｂの屈曲部分の外側面を通る前後方向に線分で規定される矩形範囲７０内に支持手段の一部が存在すれば本発明に含まれる。
【００３６】
また、図１１（ｅ）に示すように、補強部４６ｃの左右端面とバスダクト４０の側板４３が面一であるバスダクト４０でも、前方の補強部４６ｃの前端の外側面と後方の補強部４６ｃの後端の外側面を通る左右方向の線分と補強部４６ｃの左右外側面を通る前後方向の線分で規定される図示の矩形範囲７０内に支持手段の一部が位置すれば本発明に含まれる。また、図１１（ｆ）に示すように、補強部４６ｄが側板４３の前後方向に突出し、補強部４６ｅが側板４３から左右方向に突出しているバスダクト４０でも、前後端及び左右端に位置する補強部４６ｄ、４６ｅの外側面に接する左右方向の線分と前後方向の線分で規定される図示の矩形範囲７０内に支持手段の一部が位置すれば本発明に含まれる。
【００３７】
また、本発明の弾性材は、バネ部材の他にも、耐震性ゴム、パッキンなど弾性を有するものは全て含まれ、弾性材の数や位置も同様に上記実施例に限定されない。例えば耐震性ゴムを使用するバスダクト支持装置１の場合には、案内棒３３の下端に耐震性ゴムを介在し、案内棒３３の上端を固定具２に固定する構成等、適宜の構成を採用することができる。
【００３８】
また、固定具２のバスダクト４０への固定方式も上記各実施例に限定されるものではなく、固定具２をバスダクトハウジングにボルト締めして固定する構成等でもよく、固定箇所もバスダクト４０の所定の補強部４６ａ〜４６ｅ等に固定する、或いはバスダクト４０の側板４３の基面４３１、第１補強部４３２、第２補強部４３３に直接固定する等適宜である。尚、バスダクト４０の側板４３に直接固定する場合には、導体４１及びスペーサ４２を側板４３にて挟持するために使用するボルトやナットを使用して固定することにより、部品点数を減らすことができる。
【００３９】
また、固定具２の構成も上記各実施例に限定されず、例えば支持片２３に関して、支持片２３の位置を基面２１の上端部に設ける構成について説明したが、下端部やそれ以外の部分に設けても良い。支持片２３を基面２１の下端部に設ける場合には、意匠性は悪くなるものの、バネ部材３６等の支持手段を側方から目視することができるため、施工性を向上することができる。また、上記実施例のように支持片２３を基面２１の上端部に設けることにより、バネ部材３６等の支持手段が基面２１に隠れることから、より意匠性に優れたバスダクト幹線路を形成することができる。
【００４０】
また、支持片２３の形状は四角形以外に三角形など適宜である。また、支持片２３の基面２１への取り付け方式は溶接やボルト締め等適宜であり、支持片２３を基面２１へ一体形成してもよい。また、基面２１側に設けられている補強片２４の構成も上記実施例に限定されず適宜であり、支持片２３が充分な強度を有すれば補強片２４は無くても良い。
【００４１】
また、基台３１も上記各実施例の基台３１に限定されるものではなく、防火処理構造６０等に応じて様々なものを採用することが可能であり、基台３１の形状等は適宜である。
【００４２】
【発明の効果】
本発明のバスダクト支持装置を使用することにより、高層ビル等の構造物で垂直方向に布設されるバスダクトの支持空間を省スペース化することができ、複数系統のバスダクトを並列して布設した場合であっても布設間隔を極力狭くすることが可能となり、無駄な空間を極力無くすことができる効果を奏する。言い換えれば、狭い空間しか確保できない場所であっても、容易にバスダクトを垂直布設することが可能となる。
【００４３】
また、支持手段の一部或いは好適には全部が矩形内に位置することにより、垂直布設されたバスダクトを正面視した場合に、支持手段の一部或いは全部を目視不能な状態にすることが可能であり、美観が良く意匠性に優れた電気幹線路を形成することが可能となる。
【図面の簡単な説明】
【図１】本発明の第１実施例のバスダクト支持装置で垂直布設された１系統のバスダクトを支持している状態を示す正面図。
【図２】図１の側面図。
【図３】図１の平面図。
【図４】第１実施例のバスダクト支持装置に於ける固定具の斜視図。
【図５】本発明の第２実施例のバスダクト支持装置で垂直布設された２系統のバスダクトを支持している状態を示す正面図。
【図６】図５の側面図。
【図７】図５の平面図。
【図８】本発明の第３実施例のバスダクト支持装置で垂直布設された２系統のバスダクトを支持している状態を示す正面図。
【図９】図８の側面図。
【図１０】図８の平面図。
【図１１】（ａ）バスダクトの矩形範囲の第１例を示す平面説明図。
（ｂ）バスダクトの矩形範囲の第２例を示す平面説明図。
（ｃ）バスダクトの矩形範囲の第３例を示す平面説明図。
（ｄ）バスダクトの矩形範囲の第４例を示す平面説明図。
（ｅ）バスダクトの矩形範囲の第５例を示す平面説明図。
【符号の説明】
１  バスダクト支持装置
２  固定具
２１  基面
２１２  膨出部
２２  屈曲片
２３  支持片
２４  補強片
２５  挟持金具
３１  基台
３１ａ  第１基台
３１ｂ  第２基台
３１ｃ  第３基台
３３  案内棒
３６  バネ部材
４０  バスダクト
４１  導体
４２  スペーサ
４３  側板
４３１  基面
４３２  第１補強部
４３３  第２補強部
４６ａ〜４６ｅ  補強部
５０  床面
６０  防火処理構造
７０  矩形範囲
【図１】
0004558987.tif 000002
【図２】
0004558987.tif 000003
【図３】
0004558987.tif 000004
【図４】
0004558987.tif 000005
【図５】
0004558987.tif 000006
【図６】
0004558987.tif 000007
【図７】
0004558987.tif 000008
【図８】
0004558987.tif 000009
【図９】
0004558987.tif 000010
【図１０】
0004558987.tif 000011
【図１１】
0004558987.tif 000012